(57)【要約】      （修正有）【課題】既設の表示灯が存在する場合又は新設で表示灯と両方の機能が必要な場合の両方に対応できる機能を備えた発信機を提供する。【解決手段】発信機１は、発信機本体部５と、発信機本体部５を取付面に取り付けるアダプタ部２１とを備える。アダプタ部２１は、表示灯機能を有する第１アダプタ２３と、第１アダプタ２３と形状が同じで表示灯機能を有していない第２アダプタ３５とから構成される。発信機本体部５は、第１アダプタ２３と第２アダプタ３５のいずれにも固定できる固定部７を有し、第１アダプタ２３と第２アダプタ３５のうちから選択した一方のアダプタ部２１を介して取付面に取り付けられる。【選択図】図１
2016118937.tif 000002
【特許請求の範囲】
【請求項１】
発信機本体部と、該発信機本体部を取付面に取り付けるアダプタ部とを備え、
前記アダプタ部は、表示灯機能を有する第１アダプタと、該第１アダプタと形状が同じで表示灯機能を有していない第２アダプタとから構成され、
前記発信機本体部は、前記第１アダプタと前記第２アダプタのいずれにも固定できる固定部を有し、前記第１アダプタと前記第２アダプタのうちから選択した一方のアダプタ部を介して前記取付面に取り付けられることを特徴とする発信機。
【請求項２】
前記第１アダプタと前記第２アダプタは、リング状に形成されたアダプタ本体部と、該アダプタ本体部を前記取付面に取り付ける取付部を備え、前記第１アダプタのアダプタ本体部の表面部が発光表示部になっており、前記第２アダプタのアダプタ本体部の表面部が前記発信機本体部の発信機カバーと同系色であることを特徴とする請求項１に記載の発信機。
【請求項３】
前記アダプタ本体部の表面は、前記発信機本体部を固定した状態で、前記発信機本体部の発信機カバーと面一になるように構成されていることを特徴とする請求項２記載の発信機。
【発明の詳細な説明】
【技術分野】
【０００１】
本発明は、例えば消火栓箱、総合盤（機器収容箱）等に取り付けられる発信機に関する。
【背景技術】
【０００２】
消火栓箱等の正面部（以下、取付面という）に取り付けられた発信機の近傍には、発信機の位置を表示するための表示灯が取り付けられる。
現在普及している表示灯は、円錐の頂部が半球状になった赤色グローブで形成され、取付面から突出するように取り付けられている（例えば特許文献１の図１および図１２を参照）。このような、表示灯は、消火栓箱等における発信機の上方に取り付けられるのが一般的であり、発信機と表示灯は別体になっている。
【０００３】
最近では、リング状の表示灯の内周側に発信機を配置したものが、特許文献２に開示されている。
特許文献２では、表示灯をリング状の表示灯本体と、該表示灯本体を取り付けるための取付部材から構成し、表示灯本体に発信機を取り付け、取付部材を消火栓箱等に取り付けるようにしている。つまり、表示灯本体が発信機を取り付けるアダプタとして機能している。
【先行技術文献】
【特許文献】
【０００４】
【特許文献１】特開平９−１０２０８５号公報
【特許文献２】意匠登録第１４６０５５８号公報
【発明の概要】
【発明が解決しようとする課題】
【０００５】
発信機を新設で取り付ける場合には、必ず表示灯を取り付けることになるので、特許文献２のように、表示灯と発信機が一体化されたものでも問題がない。
しかし、発信機や表示灯は更新（リニューアル）されるものであり、発信機の更新は約２０年であり、他方表示灯の更新は１０年とされており、両者は更新時期が異なる。
【０００６】
このため、発信機のみ更新したい場合において、特許文献２に開示のものでは、表示灯本体が発信機を取り付けるためのアダプタとなっているため、発信機を更新するには表示灯本体も同時に更新する必要がある。
しかしながら、表示灯が既に存在する場合に、表示灯と一体となった発信機を設けると、表示灯が２つ存在することになり、見栄えが悪くなる。
【０００７】
本発明は、かかる課題を解決するためになされたものであり、既設の表示灯が存在する場合（即ち、取付面に表示灯取付用の開口部と発信機取付用の開口部の両方がある場合）、及び新設で表示灯と発信機が一体化されたものが必要な場合（即ち、発信機用の開口部しかない場合）の両方に対応できる機能を備えた発信機を提供することを目的としている。
【課題を解決するための手段】
【０００８】
（１）本発明に係る発信機は、発信機本体部と、該発信機本体部を取付面に取り付けるアダプタ部とを備え、前記アダプタ部は、表示灯機能を有する第１アダプタと、該第１アダプタと形状が同じで表示灯機能を有していない第２アダプタとから構成され、前記発信機本体部は、前記第１アダプタと前記第２アダプタのいずれにも固定できる固定部を有し、前記第１アダプタと前記第２アダプタのうちから選択した一方のアダプタ部を介して前記取付面に取り付けられることを特徴とするものである。
【０００９】
（２）また、上記（１）に記載のものにおいて、前記第１アダプタと前記第２アダプタは、リング状に形成されたアダプタ本体部と、該アダプタ本体部を前記取付面に取り付ける取付部を備え、前記第１アダプタのアダプタ本体部の表面部が発光表示部になっており、前記第２アダプタのアダプタ本体部の表面部が前記発信機本体部の発信機カバーと同系色であることを特徴とするものである。
【００１０】
（３）また、上記（２）に記載のものにおいて、前記アダプタ本体部の表面は、前記発信機本体部を固定した状態で、前記発信機本体部の発信機カバーと面一になるように構成されていることを特徴とするものである。
【発明の効果】
【００１１】
本発明に係る発信機は、発信機本体部と、該発信機本体部を取付面に取り付けるアダプタ部とを備え、前記アダプタ部は、表示灯機能を有する第１アダプタと、該第１アダプタと形状が同じで表示灯機能を有していない第２アダプタとから構成され、前記発信機本体部は、前記第１アダプタと前記第２アダプタのいずれにも固定できる固定部を有し、前記第１アダプタと前記第２アダプタのうちから選択した一方のアダプタ部を介して前記取付面に取り付けられるので、既設の表示灯が存在しない場合（即ち、表示灯を新設する場合）には、表示灯機能を有している第１アダプタを選択し、既設の表示灯が存在する場合には、表示灯機能を有していない第２アダプタを選択することで、既設の表示灯の有無にかかわらず最適の状態での取り付けを実現できる。
【図面の簡単な説明】
【００１２】
【図１】本発明の実施の形態に係る発信機の分解斜視図である。
【図２】本発明の実施の形態に係る発信機の完成状態を説明する説明図である。
【図３】本発明の実施の形態に係る発信機の取付方法を説明する分解斜視図である。
【図４】本発明の実施の形態に係る発信機の取付状態を説明する説明図である。
【発明を実施するための形態】
【００１３】
本発明の一実施の形態に係る発信機１は、図１に示すように、発信機本体部５と、発信機本体部５を取付面３（図３参照）に取り付けるアダプタ部２１とを備え、アダプタ部２１は、表示灯機能を有する第１アダプタ２３と、第１アダプタ２３と形状が同じで表示灯機能を有していない第２アダプタ３５とから構成されている。
なお、以下において、機器や部品の位置関係を表現する場合、発信機１を取付面３に取り付けた状態（図４参照）で取付面３の手前側を前と言い、取付面３の奥側（背面側）を奥、後という。
【００１４】
発信機本体部５は、第１アダプタ２３と第２アダプタ３５のいずれにも固定できる固定部７を有し、第１アダプタ２３と第２アダプタ３５のうちから選択した一方のアダプタ部２１を介して取付面３に取り付けられるようになっている。
以下、各構成を詳細に説明する。
【００１５】
＜発信機本体部＞
発信機本体部５は、押ボタン９を備え、押ボタン９が押下されると図示しない火災受信機に火災信号を発信する。
発信機本体部５は、図１に示す通り、高さの低い有底円筒状からなり前面に押ボタン９を格納する押ボタン格納部１１と、押ボタン格納部１１の前面を覆う発信機カバー１５と、箱状からなり内部に押ボタン９に連動するスイッチ（図示なし）等を収容するスイッチ格納部１３とを有している。
【００１６】
発信機カバー１５の上下には、外方向に突出する突出片からなる固定部７が設けられている。固定部７は、第１アダプタ２３及び第２アダプタ３５の凹部２５ａに嵌合するようになっている。
発信機カバー１５には、押ボタン９を操作するための開口部１７が設けられ、開口部１７の上方には、復旧スイッチ窓扉１９が設けられている。
【００１７】
＜アダプタ部＞
アダプタ部２１は、前述したように、外形が同じ第１アダプタ２３と第２アダプタ３５のいずれかを選択して使用できるように構成されている。
【００１８】
《第１アダプタ》
表示灯機能を有している第１アダプタ２３は、円形のリング状に形成され発信機１が取り付く第１アダプタ本体部２５と、第１アダプタ本体部２５を取付面３の背面側に取り付ける取付部２７と、発光素子３１を搭載した基板３３とを備えている。
第１アダプタ本体部２５は、例えば赤色の樹脂等の透光性の部材からなり、その前面及び側面（奥行き方向の面）が発光表示部となる。即ち、表示灯機能とは、背面に設けられた発光素子３１から発光された光を透光し、発光表示部が点灯／点滅する機能のことである。なお、図１〜４において、透光性部材の部分には、灰色を付している。
【００１９】
第１アダプタ本体部２５の上下には、矩形の凹部２５ａが設けられており、凹部２５ａに発信機カバー１５の固定部７を嵌合させることで発信機１を第１アダプタ本体部２５に固定することができる。凹部２５ａと固定部７は嵌合によって固定可能になっており、別の固定手段を設けることなく、発信機１を第１アダプタ本体部２５に固定できる。なお、凹部２５ａは、固定部７を嵌合できる構造であれば何でも良い。例えば、凹部２５ａが図示しないフック部を有していても良く、また、凹部２５ａと固定部７がほぼ同形状で形成され、凹部２５ａに固定部７を圧入しても良い。
【００２０】
発信機１を第１アダプタ本体部２５に取り付けた状態では、図２（ａ）に示すように、発信機カバー１５の表面と第１アダプタ本体部２５の表面とがほぼ面一になる。
【００２１】
取付部２７は、第１アダプタ本体部２５の上下及び左右に外方に向けて張り出すように略矩形状に形成されている。取付部２７は、第１アダプタ本体部２５よりも、取付面３の厚み分だけ奥側の位置に設けられている。取付部２７には、取付面３の背面側に設けられるスタッドネジ２９（図３参照）が挿通可能なネジ挿通穴２７ａが設けられている。
【００２２】
基板３３は、第１アダプタ本体部２５と同じ円形のリング状に形成され、その上下及び左右には外方に張り出す張出し部３３ａが設けられている。張出し部３３ａには、取付部２７のネジ挿通穴２７ａと同径のネジ挿通穴３３ｂが設けられており、スタッドネジ２９が挿通可能になっている。
【００２３】
基板３３には、図１に示すように、複数の発光素子３１が所定の間隔で搭載されている。発光素子３１の配置は、等間隔に配置してもよく、あるいは両サイド部の数が多くなるように（両サイド部の発光素子３１同士の間隔が狭くなるように）配置してもよい。
発光素子３１を、両サイド部の数が多くなるように配置することで、発光表示部となる第１アダプタ本体部２５の両サイド部が上下部よりも明るく光るので、第１アダプタ本体部２５を取付面３に沿った斜めから見たときにも、第１アダプタ本体部２５を確実に視認できる。また、第１アダプタ本体部２５は両サイドが上下よりもより明るくなり、リング状の第１アダプタ本体部２５の光り方に変化があるため、人が移動しながら第１アダプタ本体部２５を見ると、視線の位置が変わることで、第１アダプタ本体部２５を見る角度が変化し、それに伴って、視認できる第１アダプタ本体部２５の両サイド及び上下面の面積が変化する。これにより、第１アダプタ本体部２５の見え方が変わり、より視認性が高まっている。
【００２４】
なお、第１アダプタ本体部２５の両サイドを上下よりも明るく光らせるための他の方法として、例えば、両サイドに配置する発光素子３１の輝度を上下部のものより高く設定するようにしてもよい。あるいは、上述した発光素子３１の間隔と輝度の両方を調整してもよい。
さらには、上下には発光素子３１を配置しないようにして、第１アダプタ本体部２５の上下部が相対的に暗くなるようにしてもよい。
【００２５】
《第２アダプタ》
第２アダプタ３５は、第１アダプタ２３と形状が同じで表示灯機能を有していないものであり、発信機１を取り付けるためのアダプタとしてのみ機能する。
図１において、第２アダプタ３５における第１アダプタ２３と同一機能の部分には同一の符号が付してある。
【００２６】
第２アダプタ３５は、円形のリング状に形成されて発信機１が取り付く第２アダプタ本体部３７と、第２アダプタ本体部３７を取付面３に取り付ける取付部２７とを有している。
第２アダプタ本体部３７は、第１アダプタ本体部２５と同形状であり、かつ発信機カバー１５と同系色になっている。もっとも、発信機カバー１５とは同色であることが好ましく、さらには同じ材質であることがより好ましい。材質を同じにする場合としては、例えば発信機カバー１５と第２アダプタ本体部３７を共に樹脂によって形成する。さらに、発信機カバー１５の表面と、第２アダプタ３７の表面とに同一の表面処理を施すことが好ましく、例えば共にシボ加工をする。
【００２７】
発信機１を第２アダプタ本体部３７に固定した状態では、図２（ｂ）に示すように、発信機カバー１５と第２アダプタ本体部３７の表面がほぼ面一になり、第２アダプタ本体部３７と発信機カバー１５が一体化され、意匠性に優れる。さらに、第２アダプタ本体部３７を発信機カバー１５と同系色、同色、さらには同じ材質、同じ表面処理にすることで、第２アダプタ本体部３７の表面と発信機カバー１５との区別がつきにくくなり、より意匠性に優れる。
【００２８】
以上のように構成された発信機１の取付面３への取付方法について、第１アダプタ２３を用いる場合を例に挙げて図３、図４に基づいて説明する。
取付面３の背面側には、図３に示す通り、発信機１を取り付けるためのスタッドネジ２９が、取付部２７のネジ挿通穴２７ａ及び張出し部３３ａのネジ挿通穴３３ｂに対応する位置に設けられている。
【００２９】
まず、発信機カバー１５の固定部７を、第１アダプタ本体部２５の凹部２５ａに嵌合させることで、発信機１を第１アダプタ２３に取り付ける。
この状態で、取付面３の背面側に発信機１を取り付けた第１アダプタ本体部２５及び基板３３を配置し、第１アダプタ本体部２５の取付部２７に設けたネジ挿通穴２７ａ、及び基板３３の張出し部３３ａに設けたネジ挿通穴３３ｂにスタッドネジ２９を挿通して、ナット３９によって固定する。
【００３０】
前述したように、取付部２７が第１アダプタ本体部２５の前面よりも、取付面３の厚み分だけ奥側の位置に設けられているので、発信機１を取付面３に取り付けた状態では、図４に示すように、取付面３と第１アダプタ本体部２５の表面がほぼ面一となる。
【００３１】
第２アダプタ３５を用いる場合も、上記と同様の取付方法によって発信機１を取付面に取り付けることができる。
【００３２】
以上のように、本実施の形態によれば、発信機本体部５を、表示灯機能を有する第１アダプタ２３で取り付けることも、表示灯機能を有していない第２アダプタ３５で取り付けることもでき、新設の場合や更新の場合のいずれの場合にも最適の状態での取付けを行うことができる。
また、発信機本体部５の固定部７を第１アダプタ本体部２５又は第２アダプタ本体部３７の凹部２５ａに嵌合させるだけで、発信機本体部５を第１アダプタ本体部２５又は第２アダプタ本体部３７に固定できるので、取付が極めて簡単であり、作業性に優れる。
また、第１アダプタ２３及び第２アダプタ３５は、取付面３の背面に設けられるスタッドネジ２９に取り付けると説明したが、取り付け方はそれだけに限らず、第１アダプタ２３及び第２アダプタ３５を取付面３に取り付けられればどの態様でも良い。例えば、取付面３にネジ挿通穴２７ａと対応する位置にネジ挿通穴を設け、取付面３の前面側から挿通したネジと背面のナットとを締結し、第１アダプタ２３及び第２アダプタ３５を取付面３に取り付けても良い。
また、第１アダプタ本体部２５又は第２アダプタ本体部３７と発信機本体部５との取り付け方法は上記に限らず、例えばビスによって取り付けるようにしてもよい。
【符号の説明】
【００３３】
１  発信機
３  取付面
５  発信機本体部
７  固定部
９  押ボタン
１１  押ボタン格納部
１３  スイッチ格納部
１５  発信機カバー
１７  開口部
１９  復旧スイッチ窓扉
２１  アダプタ部
２３  第１アダプタ
２５  第１アダプタ本体部
２５ａ  凹部
２７  取付部
２７ａ  ネジ挿通穴（アダプタ部）
２９  スタッドネジ
３１  発光素子
３３  基板
３３ａ  張出し部
３３ｂ  ネジ挿通穴（基板）
３５  第２アダプタ
３７  第２アダプタ本体部
３９  ナット
【図１】
2016118937.tif 000003
【図２】
2016118937.tif 000004
【図３】
2016118937.tif 000005
【図４】
2016118937.tif 000006